(57)【要約】【課題】高速化を維持し、かつ特定原稿の識別を素早く行うことができる画像読取装置を提供する。【解決手段】原稿を読み取ってモノクロ信号、及びモノクロ信号よりも低速低画質の第１のカラー信号を生成するイメージセンサと、モノクロ信号と第１のカラー信号を用いて高速高画質の第２のカラー信号を生成し、画像出力部に出力するカラー信号補正部と、第１のカラー信号に基づいて原稿の画像が特定の原稿か否かを識別する識別部と、識別部の識別結果に応答して原稿の複製画像の生成を制限する制御部と、を具備する。【選択図】図３
2012019514.tif 000002
【特許請求の範囲】
【請求項１】
原稿を読み取ってモノクロ信号、及び前記モノクロ信号よりも低速低画質の第１のカラー信号を生成するイメージセンサと、
前記モノクロ信号と前記第１のカラー信号を用いて高速高画質の第２のカラー信号を生成して、画像出力部に出力するカラー信号補正部と、
前記第１のカラー信号に基づいて前記原稿の画像が特定の原稿か否かを識別する識別部と、
前記識別部の識別結果に応答して、前記原稿の複製画像の生成を制限する制御部と、
を具備する画像読取装置。
【請求項２】
前記識別部は、前記第１のカラー信号を画質補正したカラー信号を用いて前記特定の原稿か否かを識別する請求項１記載の画像読取装置。
【請求項３】
前記カラー信号補正部と前記識別部を同一の回路基板内に形成する請求項１記載の画像読取装置。
【請求項４】
前記識別部は、前記第２のカラー信号が前記画像出力部に出力されるタイミングよりも早いタイミングで前記特定原稿の識別を行う請求項１記載の画像読取装置。
【請求項５】
イメージセンサを含む画像読取部によって原稿を読み取り、モノクロ信号、及び前記モノクロ信号よりも低速低画質の第１のカラー信号を生成し、
前記モノクロ信号と前記第１のカラー信号を用いて高速高画質の第２のカラー信号を生成して画像出力部に出力し、
前記第１のカラー信号に基づいて前記原稿の画像が特定の原稿か否かを識別し、
前記識別の結果に応答して、前記原稿の複製画像の生成を制限する画像処理方法。
【請求項６】
前記識別部は、前記第１のカラー信号を画質補正したカラー信号を用いて前記特定の原稿か否かを識別する請求項５記載の画像処理方法。
【請求項７】
前記第２のカラー信号を作成するカラー信号補正部と、前記識別部を同一の回路基板内に形成する請求項５記載の画像処理方法。
【請求項８】
前記識別部は、前記第２のカラー信号が前記画像出力部に出力されるタイミングよりも早いタイミングで前記特定原稿の識別を行う請求項５記載の画像処理方法。
【発明の詳細な説明】
【技術分野】
【０００１】
本発明の実施形態は、原稿上のカラー画像を読み取る画像読取装置及び複製画像を形成する画像処理方法に関する。
【背景技術】
【０００２】
従来、電子写真方式の画像形成装置にあっては、高速化・カラー化が進み、再現性が著しく向上している。例えば、高速化のため、モノクロとカラーの信号を出力するＣＣＤセンサを用い、高解像度のモノクロ信号と低解像度のカラー信号から高解像度のカラー信号を作成する技術が提案されている（例えば特許文献１）。
【０００３】
また再現性の向上により本来再現されてはならない紙幣や有価証券等が、本物と区別できないほどの高画質で再生されてしまい、悪用されるという危惧が生じている。このため、画像が紙幣や有価証券等の特定の原稿であると判断した場合に、画像の再生動作を禁止する等の偽造防止技術が不可欠となっており、特定原稿の判別を行う技術が提案されている（例えば特許文献２）。
【０００４】
しかしながら、画像読取装置の高速化が進み、画像データの高速処理化やカラー化により画像データの大容量化が必須になると、その反面、画像のハンドリングが悪くなり、データ量の増加に伴ってデータの処理速度が遅くなり、ＣＰＵの負担が増え、特定の原稿を識別することが困難になったり、識別の遅延を生じるという不具合が発生している。
【先行技術文献】
【特許文献】
【０００５】
【特許文献１】特開２００３−０８７５５６号公報
【特許文献２】特開２００４−２７４７１７号公報
【発明の概要】
【発明が解決しようとする課題】
【０００６】
発明が解決しようとする課題は、高速化を維持し、かつ特定原稿の識別を素早く行うことができる画像読取装置及び画像処理方法を提供することにある。
【課題を解決するための手段】
【０００７】
実施形態に係る画像読取装置は、原稿を読み取ってモノクロ信号、及び前記モノクロ信号よりも低速低画質の第１のカラー信号を生成するイメージセンサと、前記モノクロ信号と前記第１のカラー信号を用いて高速高画質の第２のカラー信号を生成し、画像出力部に出力するカラー信号補正部と、前記第１のカラー信号に基づいて前記原稿の画像が特定の原稿か否かを識別する識別部と、前記識別部の識別結果に応答して、前記原稿の複製画像の生成を制限する制御部と、を具備する。
【図面の簡単な説明】
【０００８】
【図１】一実施形態に係る画像読取装置を備えた画像形成装置の構成図。
【図２】一実施形態に係る画像読取装置のブロック図。
【図３】一実施形態に係る画像読取装置の画像処理回路を示すブロック図。
【図４】一実施形態に係る解像度補正処理部の動作を示す説明図。
【図５】一実施形態における画像読取装置の処理の流れを示すフローチャート。
【発明を実施するための形態】
【０００９】
以下、発明を実施するための実施形態について、図面を参照して説明する。尚、各図において同一箇所については同一の符号を付す。
【００１０】
（第１の実施形態）
図１は、一実施形態に係る画像読取装置を備えた画像形成装置の構成図である。図１において、画像形成装置１０は例えば複合機であるＭＦＰ（Multi-Function Peripherals）や、プリンタ、複写機等である。以下の説明ではＭＦＰを例に説明する。
【００１１】
画像形成装置（ＭＦＰ）１０の上部には、自動原稿送り装置（ＡＤＦ）１１、透過性の原稿載置台１２、及び操作パネル１３を備えている。またＭＦＰ１０の下部には複数の給紙装置１４を設け、ＭＦＰ１０の側面には、用紙を積載するトレイ１５を設けている。
【００１２】
またＭＦＰ１０は、ＡＤＦ１１の下部にスキャナ部２０とプリンタ部３０を備えている。スキャナ部２０（画像読取部）は、原稿の画像を読み取るものであり、プリンタ部３０は、読み取った画像データをもとに用紙等の記録媒体に画像を形成する。以下の説明では、記録媒体として用紙Ｓを使用する例を述べる。
【００１３】
スキャナ部２０は、キャリッジ２１、露光ランプ２２、反射ミラー２３、集光レンズ２４を含む。また４ラインＣＣＤ（Charge Coupled Device）センサを有するイメージセンサ２５と回路基板２６を含む。スキャナ部２０は、ＡＤＦ１１によって送られてくる原稿、又は原稿載置台１２に置かれた原稿をスキャンして読み取るため、キャリッジ２１に設けた露光ランプ２２からの光を原稿載置台１２の下方から原稿に照射する。原稿からの反射光は反射ミラー２３で反射され、集光レンズ２４で集光されてイメージセンサ２５にフォーカスされる。イメージセンサ２５で受光した信号は、光電変換されて回路基板２６に入力される。
【００１４】
イメージセンサ２５は、受光面に青色、緑色、赤色用のフォトダイオードを配置した３つのＣＣＤセンサと、モノクロ用のＣＣＤセンサ（計４ラインのＣＣＤセンサ）を含む。各ＣＣＤセンサに入射した光は、光電変換され画像情報を出力する。画像情報はアナログ信号として出力され、アナログ信号はデジタル信号に変換され、さらに画像処理されて画像データ（ＲＧＢ信号）を生成する。画像データは、レーザユニット３０１に供給され、レーザユニット３０１からは、画像データに従ってレーザビームを生成する。
【００１５】
回路基板２６は、イメージセンサ２５の動作や、機構系の動作（例えばキャリッジ２１及び反射ミラーの移動や、露光ランプ２２のオン・オフ等）を制御する。また回路基板２６は、システム制御部と通信を行い、入力された画像データを処理してレーザユニット３０１に転送する。レーザユニット３０１は画像書込装置であり、スキャナ部２０からの画像信号を基にプリンタ部３０での出力に適した画像データに変換して画像出力を行う。また回路基板２６には、解像度補正処理部や認識部を含む画像処理部を形成している。解像度補正処理部と認識部は別チップでもよいが、同一チップ内に形成することが望ましい。
【００１６】
プリンタ部３０は、回転可能な感光体ドラム３１を有する。感光体ドラム３１は像担持体であり、感光体ドラム３１の周囲には、回転方向に沿って帯電装置３２、現像装置３３、転写装置３４、クリーニング装置３５、除電ランプ３６を有する。レーザユニット３０１からのレーザビームは、感光体ドラム３１に照射され、感光体ドラム３１の外周面には、原稿の画像情報に対応した静電潜像が形成される。
【００１７】
画像形成が始まると、帯電装置３２は所定の放電位置で放電し、回転する感光体ドラム３１の外周面に電荷を軸方向に均一に帯電させる。次に、感光体ドラム３１に対してレーザユニット３０１からレーザビームが照射され、感光体ドラム３１の外周面に静電潜像が形成され、かつ保持される。
【００１８】
感光体ドラム３１の外周面には、現像装置３３から現像剤（例えばトナー）が提供され、静電潜像はトナー像に変換され現像される。感光体ドラム３１の外周面に形成されたトナー像は、転写装置３４によって用紙Ｓに静電的に転写される。用紙Ｓは給紙装置１４から搬送路３７１を経由して搬送される。感光体ドラム３１上に残った紙カス等の異物は、転写装置３４の後工程に配置したクリーニング装置３５によって除去する。除電ランプ３６は、感光体ドラム３１の外周面の残留電荷を除去する。
【００１９】
尚、プリンタ部３０の構成は、図示した例に限らず、他の方式、例えば中間転写ベルトを使用した方式などを用いることもできる。また図１では、画像形成部を簡略化して示しているが、カラー画像を形成する場合は、ブラック（ＢＫ）、マゼンタ（Ｍ）、シアン（Ｃ）、イエロー（Ｙ）等のカラー画像形成部を有する。またＭＦＰ１０は、ＰＣ（Personal computer）等の外部装置から入力されたプリントデータを処理してプリンタ部３０に出力し印刷することもできる。
【００２０】
プリンタ部３０によってトナー像が転写された用紙Ｓは、搬送路３７２を介して定着装置３８に搬送される。定着装置３８は、定着ローラと加圧ローラを対向して配置し、定着ローラと加圧ローラ間に用紙Ｓを搬送することで、用紙Ｓに転写されたトナー像を用紙Ｓに定着する。トナー像が定着され画像形成が完了した用紙Ｓは、排紙ローラ３９によってトレイ１５に排出する。
【００２１】
図２は、実施形態における画像読取装置１００の回路構成を示すブロック図である。画像読取装置１００は、スキャナ部２０で読み取った原稿の画像を処理してプリンタ部３０やＰＣ等の外部装置（画像出力部）に出力するものである。以下の説明では、外部装置としてプリンタ部３０を例に説明する。
【００２２】
図２において、画像読取装置１００は、イメージセンサ２５、前処理部４０、画像処理部４１、ＣＰＵ４２、機構系駆動部４３を含む。画像処理部４１は、画像処理回路４４、カラー・モノクロセレクタ４５、インターフェース部４６（Ｉ／Ｆ）を含み、Ｉ／Ｆ４６はプリンタ部３０等の外部装置に接続される。
【００２３】
イメージセンサ２５は、例えば４ラインＣＣＤセンサで原稿を読み取り、読み取った画像をＲＧＢ信号（Ｒ１，Ｇ１，Ｂ１：各１０ビット）とＢＫ信号(ＢＫＯ、ＢＫＥ)に変換する。尚、イメージセンサ２５からはカラー出力（Ｒ１，Ｇ１，Ｂ１）が１回（１ライン分）なされる間に、モノクロ出力（ＢＫＯ、ＢＫＥ）が２回（２ライン分）なされる。
【００２４】
前処理部４０は信号レベルを適正化する。適正化された信号(Ｒ１ａ、Ｇ１ａ、Ｂ１ａ及びＢＫＯａ、ＢＫＥａ)は、次段の画像処理回路４４に入力する。画像処理回路４４の詳細な構成は図３に示す。画像処理回路４４からは、モノクロ信号（ＢＫ２ｂ）とカラー信号（Ｒ２ｂ、Ｇ２ｂ、Ｂ２ｂ）を得て、カラー・モノクロセレクタ４５に供給する。カラー・モノクロセレクタ４５で選択したモノクロ信号（ＢＫ２ｂ）又はカラー信号（Ｒ２ｂ、Ｇ２ｂ、Ｂ２ｂ）はインターフェース部４６（Ｉ／Ｆ）を介してプリンタ部３０に出力される。
【００２５】
また画像処理回路４４は、カラー画像補正部４７と認識部４８を含み、認識部４８は、紙幣や有価証券等の特定の原稿を識別する。認識部４８からの識別信号はＣＰＵ４２及びプリンタ部３０に供給される。ＣＰＵ４２は、システム制御部を構成し、画像処理部４１や機構系駆動部４３、プリンタ部３０を制御する。またＣＰＵ４２は、認識部４８の識別結果に応答して、原稿の複製画像の生成を制限（禁止）する制御部としての機能を有する。
【００２６】
尚、機構系駆動部４３は、ＣＰＵ４２の制御のもとに、スキャナ部２０のキャリッジ２１や反射ミラー２３を移動したり、露光ランプ２２（照明部）のオン・オフや、原稿サイズを検知するセンサ等の制御を行う。
【００２７】
図３は、画像処理回路４４の構成を示すブロック図である。画像処理回路４４は、シェーディング補正部５１，５２、ライン間補正部５３，５４、解像度補正処理部５５、ＬＯＧ変換部５６，５７及び色収差／ＲＧＢ色補正部５８を有する。またＬＯＧ変換部５９及び色収差／ＲＧＢ色補正部６０を有する。さらに認識部４８は、判断部６１とメモリ６２を含む。
【００２８】
以下、図３の画像処理回路４４の動作を説明する。前処理部４０で信号レベルが適正化されたモノクロ信号（ＢＫＯａ、ＢＫＥａ)は、シェーディング補正部５１に入力され、カラー信号(Ｒ１ａ、Ｇ１ａ、Ｂ１ａ)は、シェーディング補正部５２に入力される。
【００２９】
スキャナ部２０は、ＣＣＤセンサ２５を含み、原稿を読み取ってＲＧＢ信号及びモノクロ信号を生成するが、ＣＣＤセンサ２５は、各センサが物理的に離れて配置されているため、読取り位置にはズレが生じる。したがって、シェーディング補正部５１，５２は、ＣＣＤの感度ムラや、原稿画像をＣＣＤにフォーカスするレンズの特性による入射光量の光量差を補正する。
【００３０】
シェーディング補正部５１により補正されたモノクロ信号(ＢＫ１ｂ)とシェーディング補正部５２により補正されたカラー信号(Ｒ１ｂ、Ｇ１ｂ、Ｂ１ｂ)は、それぞれライン間補正部５３，５４に入力される。
【００３１】
ライン間補正部５３は、ＲＧＢ信号とＢＫ信号のライン間の補正を行い、ライン間補正部５４は、ＣＣＤセンサの各ライン間の読取位置を補正する。ライン間補正部５３の出力信号（ＢＫ１ｃ）と、ライン間補正部５４の出力信号（Ｒ１ｃ、Ｇ１ｃ、Ｂ１ｃ）は、解像度補正処理部５５に入力する。解像度補正処理部５５では高解像度のカラー信号（Ｒ１ｄ、Ｒ１ｄ、Ｒ１ｄ）を作成する。解像度補正処理部５５の動作については図４にて後述する。
【００３２】
またシェーディング補正部５１からのモノクロ信号（ＢＫ１ｂ）は、ＬＯＧ変換部５６で階調変換を行い、モノクロ信号（ＢＫ２ａ）としてカラー／モノクロセレクタ４５に入力する。またカラー信号（Ｒ１ｄ、Ｒ１ｄ、Ｒ１ｄ）はＬＯＧ変換部５７において階調変換を行い、カラー信号（Ｒ２ａ、Ｇ２ａ、Ｂ２ａ）を色収差／ＲＧＢ色補正部５８に入力する。
【００３３】
色収差／ＲＧＢ色補正部５８では、ＣＣＤのレンズの収差特性及び色特性を補正し、補正したカラー信号（Ｒ２ｂ、Ｇ２ｂ、Ｂ２ｂ）をカラー／モノクロセレクタ４５に供給する。カラー／モノクロセレクタ４５は、ＣＰＵ４２からのセレクト信号により、カラー信号（Ｒ２ｂ、Ｇ２ｂ、Ｂ２ｂ）またはモノクロ信号（ＢＫ２ｂ）を選択し、Ｉ／Ｆ４６（図２）を介してプリンタ部３０に出力する。
【００３４】
尚、解像度補正処理部５５、ＬＯＧ変換部５７及び色収差／ＲＧＢ色補正部５８は、モノクロ信号と低速低解像度のカラー信号を用いて高速高画質のカラー信号を生成しプリンタ部３０に出力するカラー信号補正部４７を構成する。
【００３５】
図４は、図３の解像度補正処理部５５による高解像度化処理を示す図である。４ラインのイメージセンサ２５は、モノクロ高速高解像度信号（３０ＭＨｚ×２、６００dpi）と、カラー低速低解像度信号（ＲＧＢそれぞれ３０ＭＨｚ、３００dpi）を同時に出力する。イメージセンサ２５から出力されたモノクロとカラーの信号は、解像度補正処理部５５でモノクロの輝度情報とカラーの色情報を基にカラー高速高解像度信号に変換する。解像度補正処理部５５としては、例えば特許文献１に記載のカラー信号補正回路を用いることができる。
【００３６】
イメージセンサ２５のうち、カラーセンサはモノクロセンサに比べると、同一画素サイズでは、カラーフィルタを使用している分、感度が低くなっているが、画素サイズを工夫することで同一の感度が得られる。感度を高めることで、スキャナ部２０の光源の光量を従来のカラー機に対して低減させることができる。
【００３７】
上述したように、画像処理回路４４からは、階調変換した高速高画質のモノクロ信号（ＢＫ２ａ）と、高速高解像度信号に変換され、かつ階調変換し色補正された高速高画質のカラー信号（Ｒ２ｂ、Ｇ２ｂ、Ｂ２ｂ）が得られ、カラー／モノクロセレクタ４５に供給することができる。
【００３８】
一方、特定の原稿を識別する認識部４８に対しては、カラー画像識別の専用経路をもつ。特定原稿の識別には解像度補正処理部５５の出力信号は用いずに、解像度補正処理前の信号を使用する。具体的には、ライン間補正部５４の出力信号（Ｒ１ｃ、Ｇ１ｃ、Ｂ１ｃ）を、ＬＯＧ変換部５９で階調変換し、階調変換したカラー信号（Ｒ３ａ、Ｇ３ａ、Ｂ３ａ）を色収差／ＲＧＢ色補正部６０に入力する。そして、色収差／ＲＧＢ色補正部６０で色補正したカラー信号（Ｒ３ｂ、Ｇ３ｂ、Ｂ３ｂ）を認識部４８の判断部６１に入力する。
【００３９】
認識部４８はカラー画像が特定の原稿であるか否かを識別し、識別結果をＣＰＵ４２とプリンタ部３０に送る。また認識部４８はメモリ６２を備えている。メモリ６２は辞書を構成するもので、紙幣や有価証券等の特定原稿のパターンを記憶している。したがって判断部６１に入力したカラー画像信号（Ｒ３ｂ、Ｇ３ｂ、Ｂ３ｂ）と特定原稿のパターンを比較し、カラー画像信号（Ｒ３ｂ、Ｇ３ｂ、Ｂ３ｂ）にコピーを禁止するパターンと同じ画像が含まれている場合は識別信号を出力する。
【００４０】
識別信号はＣＰＵ４２に送信され、かつ直接プリンタ部３０等の外部装置に送信される。ＣＰＵ４２は、識別信号を受信すると、機構系駆動部４３を制御し、露光ランプ２１（図１）を消灯して原稿の複製画像の生成を禁止する。またプリンタ部３０は特定原稿であると識別した時はプリント動作を停止し、原稿の複製画像の生成を禁止する。
【００４１】
プリンタ部３０へ転送されるカラー信号（Ｒ２ｂ，Ｇ２ｂ，Ｂ２ｂ）に対して、認識部４８に入力されるカラー信号（Ｒ３ｂ，Ｇ３ｂ，Ｂ３ｂ）は、解像度補正処理を行わない分（数ライン分）認識部４８に早く入力される。したがって、プリンタ部３０に画像が出力される前に特定原稿の識別が可能となる。
【００４２】
例えば、解像度補正処理を行ったカラー信号をもとに特定原稿を識別した場合、プリンタ部３０への画像出力と特定原稿の識別が同一タイミングになるため、識別した後に画像出力を阻止する処理を行っても、時間がないために、完全に阻止することは難しく、特定原稿がプリンタ部３０でプリントされる可能性が高い。本実施形態では、特定原稿の識別がプリンタ部３０への出力よりも先行して行われるため、画像出力を阻止し特定原稿の複製を制限することができる。
【００４３】
またカラー高速高画質のカラー信号を生成して出力するカラー画像補正部４７（解像度補正処理部５５、ＬＯＧ変換部５７、色収差／ＲＧＢ色補正部５８）と、特定原稿を識別するための回路部（ＬＯＧ変換部５９、色収差／ＲＧＢ色補正部６０、認識部４８）は同一基板内に設けられる。同一基板に設けることで認識部４８の改ざんがしにくくなる利点がある。また画像データの伝送ラインが短くなるため、ノイズが乗りにくく信号の劣化や遅延を抑えることができる。
【００４４】
次に実施形態の画像読取装置１００の動作を図５のフローチヤートを参照して説明する。
【００４５】
図５の動作（Ａｃｔ）Ａ０で原稿画像の読み取りを開始すると、動作Ａ１で、４ラインのＣＣＤセンサはカラー画像データ（カラー信号）とモノクロ画像データ（モノクロ信号）を同時に出力する。カラー画像データは動作Ａ２でカラーシェーディング補正された後、動作Ａ３でＲＧＢセンサのライン間補正を行う。
【００４６】
またモノクロ画像データは、動作Ａ４でモノクロシェーディング補正された後、動作Ａ５でライン間補正を行う。動作Ａ６では、ライン間補正されたカラー画像データとライン間補正されたモノクロ画像データをもとに高解像度化処理を実行する。高解像度化処理されたカラー画像データは、動作Ａ７でＬＯＧ変換して階調補正し、動作Ａ８で色収差、色補正処理を行い画質補正が行われる。また動作Ａ９ではモノクロ画像データをＬＯＧ変換して階調補正する。
【００４７】
次の動作Ａ１０では、カラー／モノクロセレクタ４５により、カラー画像又はモノクロ画像が選択される。即ち、カラー画像が指示された場合は、動作Ａ８にて画質補正されたカラー画像を選択して、動作Ａ１１でカラー画像を出力する。またモノクロ画像が指示された場合は、動作Ａ９にてＬＯＧ変換したモノクロ画像を選択して、動作Ａ１２でモノクロ画像を出力する。選択されたカラー画像データ又はモノクロ画像データは、プリンタ部３０に出力され、動作Ａ１３で画像の読取動作を終了する。カラー画像又はモノクロ画像の選択はコントロールパネル１３又はプリンタ部３０からの指示により行われる。
【００４８】
一方、動作Ａ３にてライン間補正されたカラー画像データは、特定原稿を識別するために利用される。即ち、特定原稿を識別するためカラー画像データは、高解像度化処理を行うことなく動作Ａ１４でＬＯＧ変換を行い階調補正する。動作Ａ１５では色収差／色補正処理を行い、画質補正を行う。動作Ａ１６では認識部４８によって特定の原稿か否かの判断を行い、特定原稿と判断した場合にはＣＰＵ４２に対して識別信号を送信し、動作Ａ１７で画像再生（複製画像の生成）を禁止する。
【００４９】
以上説明した実施形態によれば、高解像度化処理を行う前のカラー画像をもとに特定原稿か否かを識別するため、プリンタ部３０への画像出力よりも先行した早いタイミングで特定原稿の識別が可能となる。したがって特定原稿の複製を正確に防止することができ、プリンタ部３０等の外部装置へ画像が出力されることを防止できる。
【００５０】
また認識部４８では、低解像度で転送レートの低い画像データを用いて識別するため、特定原稿の識別処理が低速で可能となる。したがって、読取装置が高速化しても識別部は従来と同様のものを使用でき、特定原稿を識別する回路を新たに開発する（ＡＳＩＣ作り変える）必要がない。また回路動作が低速であることから、消費電力低減の効果もある。
【００５１】
例えば、読取装置の解像度が６００dpiで、読取速度が５０spmの場合、本実施形態での特定原稿の識別は３００dpi、２５spmで処理可能となる。また特定原稿の識別が６００dpi、５０spmに対応できる処理能力があれば、１２００dpi、１００spmの読取装置が実現できる。
【００５２】
尚、本発明のいくつかの実施形態を述べたが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００５３】
１０…画像形成装置（ＭＦＰ）
１１…ＡＤＦ
２０…スキャナ部（画像読取部）
２５…イメージセンサ
２６…回路基板
３０…プリンタ部（画像出力部）
４０…前処理部
４１…画像処理部
４２…ＣＰＵ（システム制御部）
４３…機構系駆動部
４４…画像処理回路
４５…カラー／モノクロセレクタ
４６…インターフェース（Ｉ／Ｆ）
４７…カラー信号補正部
４８…識別部
５１，５２…シェーディング補正部
５３，５４…ライン間補正部
５５…解像度補正処理部
５６，５７，５９…ＬＯＧ変換部
５８，６０…色収差／ＲＧＢ色補正部
６１…判断部
６２…メモリ
１００…画像読取装置
【図１】
2012019514.tif 000003
【図２】
2012019514.tif 000004
【図３】
2012019514.tif 000005
【図４】
2012019514.tif 000006
【図５】
2012019514.tif 000007